(57)【要約】【課題】従来は、遺影写真の作成において遺族の要望等がきめ細かく反映されていない。また案内看板、供花札、社葬用懸垂幕、横断幕等の大型葬祭用品の作成も技術や経験を必要とするため、葬祭業者において容易に作成できない。【解決手段】そこで本発明では、複数の葬祭業者側に設置した端末作成装置２ａ，２ｂ，…と、共通の画像処理業者３側に設置した共通画像処理装置４とを通信回線５を介して接続し、端末作成装置には、処理手段６と、画像入力手段７と、画像表示手段８と、大判印刷可能な第１の印刷手段９と、大判以外の大きさの印刷が可能な第２の印刷手段１０とを構成要素とし、第１の印刷手段により葬儀用札、看板、幕等の大型葬祭用品を印刷する構成とすると共に、第２の印刷手段により遺影写真を印刷する構成とした葬祭業における葬祭用品作成システムを提案する。【選択図】      図２
2004199308.tif 000002
【特許請求の範囲】
【請求項１】
複数の葬祭業者側に設置した端末作成装置と、共通の画像処理業者側に設置した共通画像処理装置とを通信回線を介して接続し、端末作成装置には、処理手段と、画像入力手段と、画像表示手段と、印刷手段とを構成要素とすると共に、共通画像処理装置には、端末作成装置から伝送される画像の処理手段を構成要素とし、印刷手段は、大判印刷可能な第１の印刷手段と、大判以外の大きさの印刷が可能な第２の印刷手段とを構成し、第１の印刷手段により葬儀用札、看板、幕等の大型葬祭用品を印刷する構成とすると共に、第２の印刷手段により遺影写真を印刷する構成としたことを特徴とする葬祭業における葬祭用品作成システム
【請求項２】
端末作成装置において入力した写真の画像を共通画像処理装置に伝送する過程と、その画像処理手段により遺影写真の画像を作成する過程と、その遺影写真の画像を端末作成装置に伝送する過程と、端末作成装置に伝送された画像の適否を判断する過程と、適当と判断された場合に第２の印刷手段により印刷する過程と、不適当と判断された場合に、その理由を共通画像処理装置側に伝送して再度画像を作成する過程と、その作成された画像を端末作成装置に伝送する過程とを構成したことを特徴とする請求項１に記載の葬祭業における葬祭用品作成システム
【発明の詳細な説明】
【０００１】
【発明の属する技術分野】
本発明は葬祭業における葬祭用品作成システムに関するものである。
【０００２】
【従来の技術】
葬儀や法要において葬祭業者が行う業務の中には、それらの運営に付随して、祭壇にかざる故人の遺影写真の作成業務や、案内看板、供花札、社葬用懸垂幕、横断幕等の大型葬祭用品の作成業務がある。
【０００３】
故人の遺影写真を作成するために遺族から受け取る写真の多くは、版が小さかったり、故人を含む集合写真であったりするため、それらから遺影写真を作成するには技術や経験が必要である。特に、黒紋付きや式服姿の遺影写真を作成する場合には、遺族から受け取った写真に、首から下の映像を合成して正装姿に仕上げるために、その作成には更に技術や経験が必要となり、作成を専門の業者に委託することも多い。
【０００４】
一方、近来、葬祭業者側に設置したスキャナーで遺族から受け取った写真をデータ化し、これを共通の画像処理業者に伝送して、この画像処理業者側の画像処理装置により遺影写真を作成し、そして作成した遺影写真のデータを通信回線を介して葬祭業者に伝送して、葬祭業者側において専用の印刷機で出力したり、画面表示したりするシステムが行われている。
【０００５】
例えば特開２００２−２３３４４８号公報には、遺影写真データをネットワークを介して処理コンピュータに伝送し、この処理コンピュータでは、受信した遺影写真データを編集して、複数の遺影写真が所定の時間で切り替わり表示される遺影スライドショーデータを作成して遺影写真データの送り手側、即ち葬祭業者側に返信し、返信された遺影スライドショーデータを葬儀や法要の場において画面表示するシステムが記載されている。
【０００６】
また、案内看板、供花札、社葬用懸垂幕、横断幕等の大型葬祭用品の作成も、それらが大型であるため、その作成にも技術や経験が必要であり、手間が掛かっていた。
【０００７】
【発明が解決しようとする課題】
遺影写真を、共通の画像処理業者において作成して、作成された遺影写真を葬祭業者側で出力する従来のシステムでは、作成された遺影写真が単に画像処理業者から葬祭業者に一方通行的に伝送されるものであるため、葬祭業者側で出力された遺影写真が必ずしも遺族の要望等と合致しない場合があり、この場合においても、そのまま使用されるのが通例である。
【０００８】
本発明は、まず、このような課題を解決し、遺影写真に遺族の要望等が反映されるようにすることを目的とするものである。
【０００９】
また本発明では、案内看板、供花札、社葬用懸垂幕、横断幕等の大型葬祭用品の作成も技術や経験を必要とせずに葬祭業者において容易に作成できるようにすることを目的とするものである。
【００１０】
【課題を解決するための手段】
上述した課題を解決するために本発明では、複数の葬祭業者側に設置した端末作成装置と、共通の画像処理業者側に設置した共通画像処理装置とを通信回線を介して接続し、端末作成装置には、処理手段と、画像入力手段と、画像表示手段と、印刷手段とを構成要素とすると共に、共通画像処理装置には、端末作成装置から伝送される画像の処理手段を構成し、印刷手段は、大判印刷可能な第１の印刷手段と、大判以外の大きさの印刷が可能な第２の印刷手段とを構成し、第１の印刷手段により葬儀用札、看板、幕等の大型葬祭用品を印刷する構成とすると共に、第２の印刷手段により遺影写真を印刷する構成とした葬祭業における葬祭用品作成システムを提案する。
【００１１】
また本発明では、上記の構成において、端末作成装置において入力した写真の画像を共通画像処理装置に伝送する過程と、その画像処理手段により遺影写真の画像を作成する過程と、その遺影写真の画像を端末作成装置に伝送する過程と、端末作成装置に伝送された画像の適否を判断する過程と、適当と判断された場合に第２の印刷手段により印刷する過程と、不適当と判断された場合に、その理由を共通画像処理装置側に伝送して再度画像を作成する過程と、その作成された画像を端末作成装置に伝送する過程とを構成することを提案する。
【００１２】
本発明のシステムにおいては、大判印刷可能な第１の印刷手段と、大判以外の大きさの印刷が可能な第２の印刷手段とを有するため、葬儀用札、看板、幕等の大型葬祭用品を第１の印刷手段により印刷して容易に作成することができると共に、遺族から受け取った故人の写真のデータを端末作成装置により通信回線を介して画像処理業者側に伝送することにより、所望の遺影写真のデータを得ることができ、端末作成装置において第２の印刷手段により出力することにより、遺影写真を容易に作成することができる。
【００１３】
特に本発明では、画像処理業者側の画像処理装置から端末作成装置に伝送された画像の適否を判断する過程と、適当と判断された場合に第２の印刷手段により印刷する過程と、不適当と判断された場合に、その理由を共通画像処理装置側に伝送して再度画像を作成する過程と、その作成された画像を端末作成装置に伝送する過程とを構成しているので、遺族の要望等が反映されたきめ細かな遺影写真を作成することができる。
【００１４】
【発明の実施の形態】
次に本発明の実施の形態を添付の図面を参照して説明する。
図１は本発明の葬祭業における葬祭用品作成システムの全体構成を概略的に表した説明図である。
図１に示すように、本発明に係る葬祭用品作成システムは、複数の葬祭業者１ａ，１ｂ，１ｃ，…，１ｎ側の夫々に設置した端末作成装置２ａ，２ｂ，２ｃ，…，２ｎと、共通の画像処理業者３側に設置した共通画像処理装置４とを通信回線５を介して接続して構成される。通信回線５は、例えばインターネット通信網を構成する通信回線を適用することができる。
【００１５】
図２は各葬祭業者、この場合、葬祭業者１ａにおける端末作成装置２ａの構成を概念的に示す説明図である。
図２に示すように、この端末作成装置２ａには、ＣＰＵ等の処理手段６と、スキャナー等の画像入力手段７と、ＣＲＴや液晶パネル等の画像表示手段８と、インクジェットプリンタ等の印刷手段とを構成要素としている。そしてこの印刷手段は、大判印刷可能な第１の印刷手段９と、大判以外の大きさの印刷が可能な第２の印刷手段１０とを構成している。更にこの端末作成装置２ａには必要なその他の機器を構成要素としており、図中、符号１１はキーボード等の入力装置、１２はマウス等のポインティング手段、１３はモデム、ターミナルアダプタ又はルーター等の通信用手段である。
【００１６】
以上の本発明のシステムにおいては、葬儀用札、看板、幕等の大型葬祭用品、例えば図２に示すような生花用又は造花用札１３は、処理手段６において長尺印刷、編集可能なソフトウエアを動作させてデータを作成し、それを大判印刷可能な第１の印刷手段９により印刷して容易に作成することができる。
【００１７】
また、遺族から受け取った写真のデータは、処理手段６において画像入力伝送用のソフトウエアを動作させて、画像入力手段７により入力してデータ化した後、通信手段１３を介して画像処理業者３の画像処理装置４に伝送する。そして画像処理業者３においては専門のオペレータが、画像処理装置４により写真の修整や着せ替え等の処理を行って遺影写真を作成し、そのデータを通信回線５を介して、対応する葬祭業者、例えば葬祭業者１ａの端末作成装置２ａに伝送する。
【００１８】
葬祭業者１ａの端末作成装置２ａにおいては、伝送されたデータにより構成された遺影写真を表示手段８に表示したり、或いは第２の印刷手段１０により印刷して、作成された遺影写真が遺族の要望に合致しているか否かを判断する。この判断は、記録されている遺族の要望に基づいて葬祭業者が行っても良いし、可能であれば遺族が直接判断を行うようにすることもできる。
【００１９】
判断の結果、作成された遺影写真が遺族の要望に合致していて適当と判断した場合には、それまでに印刷がなされていない場合には、第２の印刷手段１０により印刷し、それまでに印刷がなされている場合には、その印刷されたものを遺影写真とする。
【００２０】
一方、作成された遺影写真が遺族の要望に合致しておらず、不適当と判断した場合には、その詳細情報をキーボード１１やマウス１２等を用いて入力し、その詳細情報を画像処理業者３の画像処理装置４に伝送する。この詳細情報は、作成された遺影写真のデータと一纏めにして一つのアーカイブファイルとして伝送することにより、遺影写真と詳細情報との対応関係が失われることを防止することができる。また、詳細情報は、遺影写真中に適当な記述や印を重畳させることにより、画像処理業者３のオペレータに正確に情報を伝達することができる。
【００２１】
画像処理業者３の専門のオペレータは、遺影写真と共に伝送された詳細情報を参照して画像処理装置４により遺影写真の修整等の処理を行い、その結果のデータを通信回線５を介して、再び対応する葬祭業者１ａの端末作成装置２ａに伝送する。
【００２２】
次いで、葬祭業者１ａの端末作成装置２ａにおいて、伝送されたデータにより構成された遺影写真を表示手段８に表示したり、或いは第２の印刷手段１０により印刷して、作成された遺影写真が遺族の要望に合致しているか否かを再び判断し、判断の結果、作成された遺影写真が遺族の要望に合致していて適当と判断した場合には、それまでに印刷がなされていない場合には、第２の印刷手段１０により印刷し、それまでに印刷がなされている場合には、その印刷されたものを遺影写真とする。
【００２３】
一方、作成された遺影写真が再度、遺族の要望に合致しておらず、不適当と判断した場合には、再び、その詳細情報を画像処理業者３の画像処理装置４に伝送して、上述した遺影写真の修整等を繰り返す。
【００２４】
このように本発明では、画像処理業者３側の画像処理装置４から、葬祭業者１ａ，１ｂ，１ｃ，…，１ｎの端末作成装置２ａ，２ｂ，２ｃ，…，２ｎに送信された画像、即ち遺影写真の適否を判断する過程と、適当と判断された場合に第２の印刷手段１０により印刷する過程と、不適当と判断された場合に、その理由を共通画像処理装置４側に送信して再度画像を作成する過程と、その作成された画像を端末作成装置２ａ，２ｂ，２ｃ，…，２ｎに送信する過程とを構成しているので遺族の要望等が反映されたきめ細かな遺影写真を作成することができる。
【００２５】
【発明の効果】
本発明は以上のとおりであるので、次のような効果がある。
ａ．各葬祭業者側の端末作成装置を構成する処理手段において長尺印刷、編集可能なソフトウエアを動作させて、大判印刷可能な印刷手段により印刷を可能とすることにより、案内看板、供花札、社葬用懸垂幕、横断幕等の大型葬祭用品の作成を、技術や経験を必要とせずに葬祭業者において容易に作成することかできる。
ｂ．各葬祭業者側に専門のオペレータを必要とせずに、遺族の要望等が反映されたきめ細かな遺影写真を作成することができる。
【図面の簡単な説明】
【図１】本発明の葬祭業における葬祭用品作成システムの全体構成を概略的に表した説明図である。
【図２】各葬祭業者における端末作成装置の構成を概念的に示す説明図である。
【符号の説明】
１ａ，１ｂ，１ｃ，…，１ｎ      葬祭業者
２ａ，２ｂ，２ｃ，…，２ｎ      端末作成装置
３                              画像処理業者
４                              画像処理装置
５                              通信回線
６                              処理手段
７                              画像入力手段
８                              画像表示手段
９                              第１の印刷手段
１０                            第２の印刷手段
１１                            キーボード
１２                            マウス
１３                            葬祭用品（生花用又は造花用札）
【図１】
2004199308.tif 000003
【図２】
2004199308.tif 000004